(57)【要約】【課題】軒樋の左右何れかの端部に装着して、軒樋を軸方向廻りに正確に回転させながら容易且つ精度良く軒樋を切断可能な軒樋切断治具を提供する。【解決手段】軒樋１の外周面に被嵌して軒樋１を支持する筒状の治具本体２０の表面に電動鋸を案内するガイド片２２を設けてなる軒樋切断治具２を、一対の半割体２Ａ、２Ｂで形成し、治具本体２０の長手方向の中央部分に軒樋１を把持するクランプ部２１を設け、このクランプ部２１の両側に電動鋸のベース板側端部と摺接する前記ガイド片２２と、電動鋸のベース板と摺接する案内面２０ａをそれぞれ設けて構成し、治具本体２０に嵌合した軒樋１を軸廻りに回転させながら電動鋸で切断できるようにする。【選択図】図１
2010270535.tif 000002
【特許請求の範囲】
【請求項１】
軒樋の外周面に被嵌して軒樋を支持する治具本体と、治具本体の外周面に突出していて軒樋の長手方向と直交する方向に電動鋸を案内するガイド片を有する軒樋切断治具において、
治具本体を軒樋の外周に着脱自在に被嵌される一対の半割体で形成するとともに、治具本体の長手方向の中央部分に前記半割体の双方を一体に組み付けて軒樋を把持するクランプ部を設け、このクランプ部の両側に電動鋸のベース板側端部と摺接する前記ガイド片と、電動鋸のベース板と摺接する案内面をそれぞれ設けて構成されたことを特徴とする軒樋切断治具。
【請求項２】
案内面は、支持される軒樋の底壁及び前後側壁と略平行であって軒樋の周囲を包囲する多角面により形成されていることを特徴とする請求項１に記載の軒樋切断治具。
【請求項３】
ガイド片は、支持される軒樋の周囲を包囲する略円環状の外形に形成されていることを特徴とする請求項１又は２に記載の軒樋切断治具。
【発明の詳細な説明】
【技術分野】
【０００１】
本発明は、電動鋸を用いて軒樋を切断する際に用いられる切断治具に関し、特に鋏等の工具では切断が困難な金属製の軒樋を切断するのに適した構成のものに関する。
【背景技術】
【０００２】
屋根の軒先に沿って軒樋を配設する施工現場では、定尺の軒樋を取り付け位置に応じた長さに切断して使用している。このとき、軒樋を斜めに切断してしまうと、軒樋の端部同士の突き合わせ部に隙間ができ、突き合わせ端部の内側に内継手を嵌合させて接続したときには突き合わせ部の隙間が外側に露出するため、軒下から軒先を見上げたときの見栄えが悪くなってしまう。隙間が大きいと接続部の雨漏りを誘発することにもなりかねない。施工現場では作業スペースや利用可能な工具などに制限を受けるため軒樋をその長手方向に対して直角に正確に切断することは難しく、また、硬質塩化ビニル樹脂製の軒樋の切断は比較的容易であるものの、表面を塩化ビニル樹脂などで被覆した樹脂被覆鋼板をベンダーなどで折り曲げて成形した金属製軒樋は硬いため切断し難く、切断作業に手間がかかるだけでなく、切断作業中に切断工具の刃先がずれて斜めに切断してしまいやすかった。
【０００３】
そこで、従来から施工現場での軒樋の切断作業では、図７及び図８に示されるような切断治具が利用されている。
この切断治具９０は、両端に軒樋９の耳部９ａ、９ａに係合する耳係合部９２、９２を有し、軒樋９の長手方向と直交する幅方向に亘って軒樋９に外嵌合し得るように形成された治具本体９１と、電動鋸のベース板に装着される被ガイド片９４からなるものであり、治具本体９１の外周面に形成されたガイド溝９３に被ガイド片９４の端部を係入させた状態で、治具本体９１の外周に沿って被ガイド片９４を摺接させることができるように構成してある（例えば、特許文献１参照）。
【０００４】
この切断治具９０を用いた軒樋９の切断手順は、先ず軒樋９を裏返しにして地表面に置き、切断治具９０を軒樋９の切断位置の近傍に配置して、これを軒樋９の外面に沿わせるようにして軒樋９に被せ、耳係合部９２、９２を軒樋９の耳部９ａ、９ａにそれぞれ係合させて取り付ける。次いで、ベース板に被ガイド片９４が装着された電動鋸を、前記被ガイド片９４の端部を切断治具９０のガイド溝９３に係入させてセットし、電動鋸の回転刃９５を軒樋９に押し付けながらガイド溝９３に沿って被ガイド片９４を摺接させて電動鋸を治具本体９１の周りで移動させ、或いは電動鋸を定位置に支持したまま軒樋９もろとも治具本体９０を回転させることにより軒樋９を切断するようになっている。
【先行技術文献】
【特許文献】
【０００５】
【特許文献１】特開２００４−２９１３６１号公報
【発明の概要】
【発明が解決しようとする課題】
【０００６】
前記従来の切断治具９０にあっては、軒樋９を切断するときに軒樋９を地表面に裏返しに置き、軒樋９の底壁９ｃに回転刃９５を押し付け、底壁９ｃと略垂直な軒樋９の前側壁９ｂ及び後側壁９ｄを順次切断するが、この際、作業者は片手で電動鋸を支持しつつ片手で軒樋９を持ち上げて前後に傾けたり回転させたりしなければならない。定尺の軒樋は長さ寸法が２７３０ｍｍもあり、また、表面が樹脂被覆された金属製軒樋は重量が３ｋｇ程もあるため、作業者一人で軒樋を片手で支持して傾けたり回転させたりし、同時に電動鋸を駆動操作する作業は多大な労力を必要とし、また、回転操作中に前記被ガイド片９４の先端がガイド溝９３から外れて電動鋸が傾き、軒樋９を斜めに切断してしまうこともあった。
【０００７】
また、図９（Ａ）に示されるように、出隅や入隅に取り付けられる曲がり継手９Ｘ、９Ｘ間に、所定の長さに切断された軒樋９、９を互いの端部を内継手９Ｙで一体に連結して取り付ける場合に、軒樋９の電動鋸で切断された側の端部Ｂにはバリなどが生じていることから、両軒樋９、９の切断端部Ｂ側を曲がり継手９Ｘ、９Ｘの内側に差し込んで接続し、電動鋸で切断されていない未切断端部Ａ側を突き合わせてからその内面に跨るように内継手９Ｙを嵌合させて接続すれば、軒樋９の切断部分が露出せず、軒先を見上げたときの外観が良くなる。
このように軒樋９、９同士や曲がり継手９Ｘとの接続部の外観が良好となることを考慮して、同図（Ｂ）に示されるように、定尺の軒樋９を左端から長さＬ１の位置Ｋ１で切断したり、右端から長さＬ２の位置Ｋ２で切断したりする必要がある。しかし、切断治具９０の幅寸法に対して軒樋９の端部からの長さＬ１、Ｌ２が小さい場合には、切断治具９０で軒樋９を支持できずに、電動鋸で軒樋９を切断できないという不都合が発生することもあり、そのため、施工現場には軒樋の左端切断用の治具と右端切断用の治具とを取り揃えておかねばならず、工具類の管理コストの無駄も大きかった。
【０００８】
本発明は従来技術の有するこのような問題点に鑑み、軒樋を切断する際に、地表面などに軒樋を置いたまま、その軸方向廻りに容易に回転させて簡単且つ正確に切断することができ、しかも軒樋のいずれの端部側からでも軒樋を安定的に支持して電動鋸で切断できるようにすることを課題とする。
【課題を解決するための手段】
【０００９】
前記課題を解決するため本発明は、軒樋の外周面に被嵌して軒樋を支持する治具本体と、治具本体の外周面に突出していて軒樋の長手方向と直交する方向に電動鋸を案内するガイド片を有する軒樋切断治具において、
治具本体を軒樋の外周に着脱自在に被嵌される一対の半割体で形成するとともに、治具本体の長手方向の中央部分に前記半割体の双方を一体に組み付けて軒樋を把持するクランプ部を形成し、このクランプ部の両側に電動鋸のベース板側端部と摺接する前記ガイド片と、電動鋸のベース板と摺接する案内面をそれぞれ設けて構成されたことを特徴とする。
【００１０】
これによれば、軒樋の切断位置の近傍に一対の半割体を配置し、それぞれを軒樋の外周半面に装着し、クランプ部で両半割体の周縁部を結合し、軒樋の外周に治具本体を一体に組み付ける。そして、治具本体を被嵌させた軒樋を作業台や地表面に置けば、ガイド片の周縁が接地して軒樋を水平に支持することができ、ガイド片を操作して治具本体を回転させることで、軒樋をその長手方向に沿った軸廻りに容易に回転させることができる。そして、電動鋸をガイド片に沿わせて設置すれば、電動鋸の回転刃が軒樋の長手方向と直交する方向に保持され、軒樋が回転すると回転刃は当該軒樋の外周に沿って移動することとなり、この回転刃により軒樋はその短手幅方向に沿って真っ直ぐに切断することができる。
このように一対の半割体で治具本体が形成されているので、軒樋への治具本体の着脱が容易であり、治具本体の外周側に突出したガイド片を地表面などに接地させて軒樋を水平軸廻りに容易且つ正確に回転させることが可能である。また、軒樋を把持するクランプ部の両側に電動鋸のベース板側端部と摺接するガイド片と、電動鋸のベース板と摺接する案内面とが形成されているので、治具本体を軒樋のいずれの端部側にもセットして軒樋を支持することができ、電動鋸のベース板側端部をガイド片に沿わせるとともに、電動鋸のベース板を案内面に押付けて摺接させるだけで、電動鋸を軒樋の長手方向と直交する方向に案内し移動させて軒樋を所望の位置で正確に切断することが可能である。
【００１１】
前記構成において、案内面は、支持される軒樋の底壁及び前後側壁と略平行であって軒樋の周囲を包囲する多角面により形成することができる。このように治具本体の案内面が平坦な多角面により形成されていると、治具本体の案内面と電動鋸のベース板とが面接触して電動鋸の移動が安定するため、軒樋を長手方向と直交する方向に精度良く切断でき、切断面の仕上がりも綺麗になる。
【００１２】
また、治具本体のガイド片が、支持される軒樋の短手方向の周囲を包囲する略円環状の外形に形成してあれば、軒樋を把持した治具本体のガイド片を地表面などに接地させて円滑に回転させることができるため、電動鋸による軒樋の切断作業がより安定する。
【００１３】
前記構成の軒樋切断治具において、治具本体とガイド片は一体に形成しても、それぞれ別体に形成してもよい。別体に形成した場合、ガイド片は治具本体の側部に固定して、治具本体がガイド片と一体に回転するように取り付けられる。なお、「被嵌」は被せるように嵌める状態をいい、「摺接」はすり動く状態で接することをいう。
【図面の簡単な説明】
【００１４】
【図１】本発明の一実施形態の軒樋切断治具の半割体を軒樋の周りで展開した状態の斜視図である。
【図２】図１の軒樋切断治具の半割体同士を組み付けた状態の斜視図である。
【図３】クランプ部に設けられた半割体の連結機構の拡大図である。
【図４】蝶ナットを締め付けて半割体を組み付け位置に固定した状態の支持片及び起立片の要部拡大断面図である。
【図５】軒樋を切断する電動鋸の一例の斜視図である。
【図６】図１の軒樋切断治具を用いて軒樋を切断する状態を示す概略断面図である。
【図７】従来の軒樋切断治具を軒樋に装着した状態の外観図である。
【図８】図７の軒樋切断治具を用いて軒樋を切断する状態を示す要部概略断面図である。
【図９】（Ａ）は曲がり継手間に軒樋を接続する形態を示した図、（Ｂ）は軒樋の切断位置を示した図である。
【発明を実施するための形態】
【００１５】
本発明の好適な実施形態を図面に基づいて説明する。
図１〜図６は軒樋切断治具の一実施形態を示し、図中、符号１は軒樋、２は軒樋切断治具、３は電動鋸をそれぞれ示している。
【００１６】
軒樋１は、例えば塩化ビニル樹脂などで表面が被覆された樹脂被覆鋼板、或いはアルミ板などの耐蝕性を有する金属鋼板を板金加工により長手方向に沿って屈曲成形した長尺な角形樋であり、図１に示されるように、底壁１１の前端で屈曲して斜め前方に立ち上がる前側壁１２と、底壁１１の後端で屈曲して略垂直に立ち上がる後側壁１３によって断面略Ｕ字状に形成されている。前側壁１２の上端には内側に鋭角に折り返して形成した前耳部１２ａ、後側壁１３の上端には後方に屈曲してから内側に向かって開口する断面略コ字状の後耳部１３ａがそれぞれ設けてある。
【００１７】
軒樋切断治具２は、軒樋１を切断する際に軒樋１の外周面に装着して用いられるものであり、図１及び図２に示されるように、軒樋１の周囲をその長手方向に沿って適宜な幅に亘り包囲する筒状の治具本体２０の中央に、軒樋１の外郭形状と略合致する形状にくびれていて軒樋１の外周面に密着嵌合する形状のクランプ部２１を設けるとともに、このクランプ部２１とその両側の治具本体２０、２０の境界部に外方へ突出したガイド片２２、２２を一体に成形し、且つこれら治具本体２０、クランプ部２１及びガイド片２２を軒樋１の開口面を含む略上半部に嵌合する半割体２Ａと、軒樋１の略下半部に嵌合する半割体２Ｂとに二分し、軒樋１の外側面に両半割体２Ａ、２Ｂを被嵌し一体に組み付けることにより軒樋１の外周面を支持するように構成されている。
【００１８】
詳しくは、治具本体２０の外面は、軒樋１に装着したときにその底壁１１、前側壁１２及び後側壁１３を包囲する、これら各壁と略平行な平坦な面及び軒樋１の前耳部１２ａと後耳部１３ａを結ぶ面と略平行な平坦な面によって多角断面形状に形成されており、前記各平坦な面により後述する電動鋸３のベース板３１の下面が当接する案内面２０ａを構成している。
治具本体２０、２０の軸方向側端には前記案内面２０ａの縁部を内方へ屈曲してなる側板２３が設けられ、この側板２３の端部に、軒樋１の外形断面形状と略合致した形状に切り欠いてなる切欠部２３０を形成し、半割体２Ａ、２Ｂを一体に組み付けて軒樋１の外側に被嵌した際に、軒樋１の外周に沿って切欠部２３０を当接することで、軒樋１と治具本体２０とが相互にずれたり、がたついたりしないように設けてある。
【００１９】
半割体２Ａ、２Ｂは、多角断面の筒体を構成する前記治具本体２０、クランプ部２１及びガイド片２２を、その対角に沿って縦に二分割した形状を呈している。両半割体２Ａ、２Ｂの一側の分割端部には位置決め用の突片２４、２４がそれぞれ設けられ、また、他側の分割端部には前記突片が係入する凹み２５、２５がそれぞれ設けられ、分割端部同士を当接させたときに前記両側の端部において、凹み２５、２５に突片２４、２４がそれぞれ係合し、半割体２Ａ、２Ｂの両端部の当接位置が位置決めされるようになっている。
また、両半割体２Ａ、２Ｂの一側の分割端部には一対の起立片２１１がクランプ部２１の外面から突設させてそれぞれ設けられ、また、他側の分割端部には上端が凹状に形成された支持片２１２がクランプ部２１の外面にそれぞれ一体に設けられ、それぞれの支持片２１２には、図３に示されるように、支持片２１２に形成された軸孔に軸棒２１３が回転自在に取り付けられ、この軸棒２１３の周面から突設した螺子棒２１４の頂部に蝶ナット２１５を螺着してある。
図１には、半割体２Ａの一側の分割端部に設けられた起立片２１１と半割体２Ｂの他側の端部に設けられた螺子棒２１４付きの軸棒２１３を回転自在に支持する支持片２１２が示されているが、図示されない半割体２Ａの他側の分割端部には前記螺子棒２１４付きの軸棒２１３を支持する支持片２１２を、半割体２Ｂの一側の分割端部には起立片２１１をそれぞれ設けてある。
起立片２１１と軸棒２１３を支持する支持片２１２はそれぞれ両半割体２Ａ、２Ｂのクランプ部２１の外面の対応位置に設けられており、軒樋１を切断する際に、軒樋１の外周側に半割体２Ａ、２Ｂを被嵌し、前記の如く突片２４、２４を凹み２５、２５に係入させて両半割体２Ａ、２Ｂの分割端部同士を当接し組み付けた状態で、それぞれに設けられた起立片２１１と螺子棒２１４付きの軸棒２１３を支持する支持片２１２とが対向位置に配置される。
そして、図３に示されるように支持片２１２で回転自在に支持された螺子棒２１４を、これと対向する起立片２１１の間隙内に係入するように矢印Ｒ方向へ倒した後、図４に示されるように蝶ナット２１５を起立片２１１に係止させてから締め付ければ、軒樋１の外周に装着した半割体２Ａ、２Ｂの端部同士を互いに接合させたまま組み付け位置に一体に固定することができ、また、蝶ナット２１５を緩めて螺子棒２１４を起立片２１１から外せば、軒樋１に被嵌していた半割体２Ａ、２Ｂを分離して取り外すことができるようになっている。なお、蝶ナット２１５の締め付けによる固定及び緩めた後の螺子棒２１４の起立片２１１との係合の解除操作は両半割体２Ａ、２Ｂの分割端部の両側で行われる。
【００２０】
ガイド片２２は、電動鋸３のベース板３１の側端部を摺接させることによって電動鋸を軒樋１の長手方向と直交する方向に案内するためのものであり、所望の高さ寸法で、その外周縁が治具本体２０の案内面２０ａと略平行となるように、案内面２０ａの表面から鍔状に突出させて形成してある。なお、ガイド片２２は、その外周縁が支持される軒樋１の短手方向の周囲を包囲する略円環状の外形をなすように形成してもよい。ガイド片２２の外周縁が略円環状に形成してあれば、後述する軒樋１の切断時に軒樋１を円滑に回転させることができるという利点がある。
【００２１】
次に、本発明の軒樋切断治具２を用いて軒樋１を切断する作業手順を説明する。
先ず、軒樋１の切断位置の近傍に一対の半割体２Ａ、２Ｂを配置し、双方の半割体２Ａ、２Ｂを軒樋１の外周面に被嵌させ、それぞれの分割端部の両側に形成された突片２４、２４と凹み２５、２５を係合させて分割端部の縁部同士を接合するとともに、分割端部の両側のクランプ部２１の外面にそれぞれ設けられた前記螺子棒２１４を起立片２１１に係合し、蝶ナット２１５をそれぞれ締め付けて一体に組み付ける。
一体に組み付けられた半割体２Ａ、２Ｂは、図６に示されるように、軒樋１の外周面に治具本体２０、２０の間のクランプ部２１と両側の切欠部２３０、２３０が軒樋１の外周に嵌合して軒樋１の外周面を挟み持ち、軒樋１は治具本体２０、２０及びクランプ部２１の内側に挿通させて支持される。
【００２２】
このようにして軒樋１の外周面所定位置に軒樋切断治具２を装着してから、軒樋１及び軒樋切断治具２を地表面や作業台の上に載置する。この際、軒樋１が水平状態に維持されるように、軒樋１の長手方向端部を別の支持部材の上に載せ、この支持部材と軒樋１に装着した前記軒樋切断治具２とで軒樋１が水平となるように高さを調節し、或いは当該軒樋切断治具２の装着位置から若干距離を置いて軒樋１の外周面に別の軒樋切断治具２を装着し、両軒樋切断治具２、２で軒樋１を水平に保持することが好ましい。
【００２３】
次いで、図５に示す矩形ベース板３１の下方に回転刃３２を配してなる電動鋸３を、図６に示されるように、前記ベース板３１の側端部を前記ガイド片２２に沿わせて治具本体２０の案内面２０ａ上に設置し、ベース板３１を案内面２０ａに押し付けて摺接させながら軒樋１を長手方向軸廻りに回転させつつ、電動鋸３の回転駆動する回転刃３２で軒樋１を切断する。軒樋１を所定の長さに切断したならば、半割体２Ａ、２Ｂを分離し、軒樋１の外周面から軒樋切断治具２を取り外す。
【００２４】
この切断作業の際に、作業者は片手で電動鋸３を操作しながら、片手でガイド片２２の周縁を把持して押し回しながら、軒樋切断治具２と一体に軒樋１をその長手方向軸廻りにスムーズに回転させることができるので、電動鋸３の回転刃３２は軒樋切断治具２のガイド片２２と案内面２０ａに案内されて、軒樋２の外周廻りに沿って正確に移動し、軒樋１の外周面に回転刃３２を切り入れて軒樋１を短手幅方向に沿って真っ直ぐに、精度良く綺麗に切断することができる。また、クランプ部２１の両側に治具本体２０の案内面２０ａとガイド片２２を設けてあるので、軒樋１の左右端部切断用の治具は不要であり、本形態の軒樋切断治具２のみで軒樋１の左右端部を所望の位置で切断することが可能である。
【００２５】
なお、図示した形態は一例であり、本発明の軒樋切断治具２の構成はこれらに限定されるものではない。切断する軒樋１の形状も図示したものに限定されない。
図示した形態は、治具本体２０とガイド片２２を一体に成形したが、両部を別体に形成し、切断作業の際に一体に組み付けるようにしてもよい。軒樋１の外周面に嵌合する切欠部２３０は、側板２３を軒樋１の断面形状に沿って切り欠いて形成したが、軒樋１の外周面に嵌合するのであれば形状は問わず、外周面全体に嵌合しなくとも部分的に嵌合する形状としてもよい。
【符号の説明】
【００２６】
１  軒樋、２  軒樋切断治具、２Ａ、２Ｂ  半割体、２０  治具本体、２０ａ  案内面、２１  クランプ部、２２  ガイド片、２３  側板
【図１】
2010270535.tif 000003
【図２】
2010270535.tif 000004
【図３】
2010270535.tif 000005
【図４】
2010270535.tif 000006
【図５】
2010270535.tif 000007
【図６】
2010270535.tif 000008
【図７】
2010270535.tif 000009
【図８】
2010270535.tif 000010
【図９】
2010270535.tif 000011